(57)【要約】      （修正有）【課題】開梱時においても装飾品の美感が維持されるような梱包を簡便に行うことができる装飾品梱包用具を提供する。【解決手段】ブーケ梱包用具１０は、持ち手部分Ａ１を備えたブーケＡを梱包箱１に梱包するためのものである。このブーケ梱包用具１０は、ダンボールシートが折り曲げられて、略三角形をなすように山折り状の折り目を介して連続する一対の平面部１１，１２を備え、一対の平面部１１，１２のうち第１の平面部１１に挿通部が形成されている。この挿通部にブーケＡの持ち手部分Ａ１を挿通させ、当該持ち手部分Ａ１を第２の平面部１２に沿うように固定させることで、ブーケＡを保持することとしている。【選択図】図１
2016145044.tif 000002
【特許請求の範囲】
【請求項１】
持ち手部分を備えた装飾品を梱包箱に梱包するための装飾品梱包用具において、
所定の剛性を備えるシート部材が折り曲げられて、略三角形をなすように山折り状の折り目を介して連続する一対の平面部を備え、
前記一対の平面部のうち一方の平面部に挿通部が形成されており、
前記装飾品の持ち手部分を前記挿通部に挿通させるとともに、当該持ち手部分を前記一対の平面部のうちの他方の平面部に沿うように固定させて、前記装飾品を保持することを特徴とする装飾品梱包用具。
【請求項２】
前記シート部材が折り曲げられて、前記平面部のそれぞれに谷折り状の折り目を介して連続する一対の固定片をさらに備え、
前記固定片のそれぞれは、前記梱包箱の底面に固定されることを特徴とする請求項１に記載された装飾品梱包用具。
【請求項３】
前記他方の平面部には一対の貫通孔が形成されており、
前記装飾品の持ち手部分は、前記一対の貫通孔に挿通された結束バンドにて締め付けて前記他方の平面部に固定されることを特徴とする請求項１又は２に記載された装飾品梱包用具。
【請求項４】
前記シート部材である平面状のダンボールシートを折り曲げ形成して作成されることを特徴とする請求項１から３のいずれかに記載された装飾品梱包用具。
【発明の詳細な説明】
【技術分野】
【０００１】
本発明は、生花等を束ねてなるブーケといった装飾品を梱包箱に梱包するための装飾品梱包用具に関する。
【背景技術】
【０００２】
従来より、ブライダル等においてはブーケを利用したセレモニーが行われている。この類のセレモニーでは顧客が自ら用意したブーケを利用したいとの要望も多く、この場合には、顧客自身でブーケを梱包し、配送業者に依頼してこれを式場まで配送する必要がある。
【０００３】
例えば、ブーケの梱包方法の一例としては、以下に示すものがある。まず、ブーケを収納可能な梱包箱（例えばダンボール箱）と、通気用の穴をあけたビニール袋とを用意する。そして、ビニール袋の中にブーケを入れ、ブーケを横に向けた状態でビニール袋ごと梱包箱内に収納する。梱包箱の底面にガムテープや両面テープをセットしておくことで、動かないようにブーケを固定することができる。
【０００４】
また、ブーケの梱包方法の別の一例としては、以下に示すものがある。まず、ブーケを収納可能な梱包箱と、これよりも小さな固定用の箱とを用意する。そして、固定用の箱にブーケの持ち手部分を差し込むことで、ブーケを立たせたままの状態で保持し、この固定用の箱を梱包箱内に収容して梱包箱の底面に固定する。これにより、梱包箱の中で動かないような状態でブーケが固定されることとなる。固定用の箱とブーケとの固定方法としては、固定用の箱の上面に穴をあけ、これにブーケの持ち手部分を差し込み固定する方法や、当該固定用の箱の上面を開放して新聞紙などを詰め込んで、新聞紙の隙間にブーケの持ち手部分を差し込み固定する方法などが考えられる。
【０００５】
なお、例えば特許文献１には、宅配送にも利用できるブーケスタンドが開示されている。
【先行技術文献】
【特許文献】
【０００６】
【特許文献１】実用新案登録第３０９０１９８号公報
【発明の概要】
【発明が解決しようとする課題】
【０００７】
しかしながら、ブーケの取扱業者以外の者がブーケの梱包を行うことは難しく、梱包が十分でない場合には、梱包箱内でブーケが倒れたり動いたりすることで、花部分に傷みが生じたりブーケの形が崩れたりし、ブーケの美感が損なわれてしまう問題がある。
【０００８】
本発明はかかる事情に鑑みてなされたものであり、その目的は、開梱時においても装飾品の美感が維持されるような梱包を簡便に行うことができる装飾品梱包用具を提供することにある。
【課題を解決するための手段】
【０００９】
かかる課題を解決するために、本発明は、持ち手部分を備えた装飾品を梱包箱に梱包するための装飾品梱包用具を提供する。この装飾品梱包用具は、所定の剛性を備えるシート部材が折り曲げられて、略三角形をなすように山折り状の折り目を介して連続する一対の平面部を備え、一対の平面部のうち一方の平面部に挿通部が形成されており、装飾品の持ち手部分を挿通部に挿通させるとともに、当該持ち手部分を一対の平面部のうちの他方の平面部に沿うように固定させて、装飾品を保持するものである。
【００１０】
ここで、本発明は、シート部材が折り曲げられて、平面部のそれぞれに谷折り状の折り目を介して連続する一対の固定片を備えることが好ましく、固定片のそれぞれは、梱包箱の底面に固定されることが望ましい。
【００１１】
また、本発明において、他方の平面部には一対の貫通孔が形成されており、装飾品の持ち手部分は、一対の貫通孔に挿通された結束バンドにて締め付けて他方の平面部に固定されることが好ましい。
【００１２】
さらに、本発明は、シート部材である平面状のダンボールシートを折り曲げ形成して作成されることが好ましい。
【発明の効果】
【００１３】
本発明によれば、開梱時においても装飾品の美感が維持されるような梱包を簡便に行うことができる。
【図面の簡単な説明】
【００１４】
【図１】本実施形態に係るブーケ梱包用具によるブーケの梱包状態を示す説明図
【図２】図１に示すブーケ梱包用具を模式的に示す斜視図
【図３】図１に示すブーケ梱包用具を模式的に示す側面図
【図４】折り曲げ前の状態のブーケ梱包用具である基材を模式的に示す説明図
【発明を実施するための形態】
【００１５】
図１は、本実施形態に係るブーケ梱包用具１０によるブーケＡの梱包状態を示す説明図である。また、図２は、図１に示すブーケ梱包用具１０を模式的に示す斜視図であり、図３は、図１に示すブーケ梱包用具１０を模式的に示す側面図である。図４は、折り曲げ前の状態のブーケ梱包用具１０である基材１０Ａを模式的に示す説明図である。本実施形態に係るブーケ梱包用具１０は、梱包箱１内にブーケＡを梱包するための用具である。
【００１６】
ブーケＡは、生花、プリザーブドフラワー若しくは造花又はこれらを組み合わせたものを束ねて作成されたものであり、茎部分をワイヤーや装飾用のテープ等により一つに束ねた持ち手部分Ａ１と、花部分を主体とする本体部分Ａ２とで構成されている。持ち手部分Ａ１は、ブーケＡを持ったり花器等に挿入したりするための部位であり、本体部分Ａ２よりも小さく束ねられている。
【００１７】
ブーケ梱包用具１０は、略横長四角形状のダンボールシート（後述する基材１０Ａ）を、縦方向に延びる３つの折り目１０ａ〜１０ｃに沿ってそれぞれ折り曲げて所要の形状に形成したものである。このブーケ梱包用具１０は、これを機能的に捉えた場合、一対の平面部１１，１２と、一対の固定片１３，１４とで構成されている。
【００１８】
一対の平面部１１，１２は、略三角形をなすように山折り状の折り目１０ａを介して連続しており、ブーケＡを保持する機能を担っている。
【００１９】
一方の平面部（以下「第１の平面部」という）１１における折り目１０ａの近傍かつ縦方向の略中央には、所定の大きさの開口をなす挿通部１１ａが設けられている。挿通部１１ａは、第１の平面部１１に略半円弧状の切れ目を形成し、当該部位を内側へと折り曲げることにより形成されている。挿通部１１ａは、ブーケＡの持ち手部分Ａ１の太さよりも大きく設定されており、当該挿通部１１ａには、ブーケＡの持ち手部分Ａ１が挿通される。
【００２０】
これに対して、他方の平面部（以下「第２の平面部」という）１２における略中央には、一対の貫通孔１２ａ，１２ｂが２組形成されている。一対の貫通孔１２ａ，１２ｂは、縦方向に所定の距離を隔てて形成されており、各組の貫通孔１２ａ，１２ｂは横方向に所定の距離を隔てて形成されている。一対の貫通孔１２ａ，１２ｂには、結束バンド１５が環状に挿通されている。挿通部１１ａから挿通された持ち手部分Ａ１は、結束バンド１５にて締め付けられて、第２の平面部１２に沿うようにして固定される。
【００２１】
一対の固定片１３，１４は、各平面部１１，１２に折り目１０ｂ、１０ｃを介して連続する部位である。具体的には、一方の固定片（以下「第１の固定片」という）１３は、第１の平面部１１に谷折り状の折り目１０ｂを介して連続し、他方の固定片（以下「第２の固定片」という）１４は、第２の平面部１２に谷折り状の折り目１０ｃを介して連続している。
【００２２】
個々の固定片１３，１４は、梱包箱１内の底面に固定され、一対の平面部１１，１２の折り曲げ角（折り目１０ａにおける角度）を保形するとともに、ブーケ梱包用具１０を梱包箱１に固定する機能を担っている。個々の固定片１３，１４と、梱包箱１内の底面との固定方法としては、ガムテープや両面テープなどを利用することができる。
【００２３】
以下、本実施形態に係るブーケ梱包用具１０を利用したブーケＡの梱包方法について説明する。まず、ブーケ梱包用具１０を作成するための基材１０Ａを用意する。この基材１０Ａは、図３に示すように、折り曲げ前の状態のブーケ梱包用具１０に相当する。
【００２４】
基材１０Ａは、略横長四角形状のダンボールシートで構成されており、縦方向に延びる折り目１０ａ〜１０ｃが３箇所に設定されている。
【００２５】
基材１０Ａの中央には折り目１０ａが位置しており、当該折り目１０ａは一対の平面部１１，１２の境目をなす山折り用の折り目に相当する。一方、折り目１０ａよりも右側領域の中央には折り目１０ｂが位置し、当該折り目１０ｂは第１の平面部１１と第１の固定片１３との境目をなす谷折り用の折り目に相当する。また、折り目１０ａよりも左側領域の中央には折り目１０ｃが位置し、当該折り目１０ｃは第２の平面部１２と第２の固定片１４との境目をなす谷折り用の折り目に相当する。
【００２６】
個々の折り目１０ａ〜１０ｃの位置には、折り曲げを容易とするために、折り目方向に断続する切り込みや、凹凸によるスジ等を形成することができる。
【００２７】
また、基材１０Ａには、第１の平面部１１に相当する所要の位置に、挿通部１１ａを形成するための半円弧状の切れ目１０ｄが形成されている。半円弧状の切れ目１０ｄは、その頂部が中央の折り目１０ａと一致するような関係に設定されている。さらに、基材１０Ａには、第２の平面部１２に相当する所要の位置に、一対の貫通孔１２ａ，１２ｂが２組形成されている。
【００２８】
基材１０Ａを用意すると、各折り目１０ａ〜１０ｃに沿って基材１０Ａを折り曲げて、当該基材１０Ａを所要の形状へと形成する。具体的には、折り目１０ａにて山折りをし、折り目１０ｂ，１０ｃにてそれぞれ谷折りをする。つぎに、半円弧状の切れ目１０ｄを利用して基材１０Ａ（第１の平面部１１）の一部を折り曲げることで、挿通部１１ａを形成する。これらの一連の作業により、基材１０Ａからブーケ梱包用具１０が形成される。
【００２９】
つぎに、ブーケＡの持ち手部分Ａ１を挿通部１１ａに挿入し、第２の平面部１２に沿うように持ち手部分Ａ１をセットする。そして、一対の貫通孔１２ａ，１２ｂに結束バンド１５を環状に挿通し、結束バンド１５にて持ち手部分Ａ１を第２の平面部１２に固定する。第２の平面部１２には、一対の貫通孔１２ａ，１２ｂが２箇所に形成されているため、この結束バンド１５による固定作業は２箇所で各々行われる。
【００３０】
そして、ブーケＡがセットされたブーケ梱包用具１０を梱包箱１内に収納し、梱包箱１内の底面に固定片１３，１４をそれぞれ固定する。固定片１３，１４の固定方法としては、ガムテープや両面テープを利用することができる。
【００３１】
ここで、一対の固定片１３，１４を互いに近づけた状態で固定すれば、一対の平面部１１，１２の折り曲げ角は小さくなり、これとは逆に、一対の固定片１３，１４を互いに遠ざけた状態で固定すれば、一対の平面部１１，１２の折り曲げ角は大きくなる。一対の平面部１１，１２の折り曲げ角は、ブーケＡの形態や、梱包箱１の大きさに応じて適宜設定することができる。すなわち、一対の平面部１１，１２の折り曲げ角を大きく設定すれば、ブーケＡの高さ方向の嵩を抑えることができるので、大きなブーケＡであっても梱包箱１から突出することなくこれを収納することができる。一方、一対の平面部１１，１２の折り曲げ角を小さく設定することで、縦置きに近い状態でブーケＡを保持することができるので、ブーケＡの形崩れなどを抑制することができる。
【００３２】
以上の一連の工程により、ブーケＡが梱包箱１内に梱包される。
【００３３】
このように本実施形態のブーケ梱包用具１０は、持ち手部分Ａ１を備えたブーケＡを梱包箱１に梱包するためのものである。このブーケ梱包用具１０は、ダンボールシートが折り曲げられて、略三角形をなすように山折り状の折り目１０ａを介して連続する一対の平面部１１，１２を備え、一対の平面部１１，１２のうち第１の平面部１１に挿通部１１ａが形成されている。この挿通部１１ａにブーケＡの持ち手部分Ａ１を挿通させ、当該持ち手部分Ａ１を第２の平面部１２に沿うように固定させることで、ブーケＡを保持することとしている。
【００３４】
この構成によれば、ブーケＡの持ち手部分Ａ１を第２の平面部１２に沿って固定することができるので、ブーケＡのぐらつきが規制され、これを安定的に保持することができる。さらに、一対の平面部１１，１２が略三角形をなすように構成されているため、これ自体が安定した構造を備えている。これにより、ブーケＡの重さに耐えきれず、梱包箱１内でブーケＡが倒れたりすることなく、ブーケＡを安定的に保持することができる。さらに、持ち手部分Ａ１を挿通部１１ａに挿通した上でこれを第２の平面部１２に固定しているので、第２の平面部１２の裏面側（第１の平面部１１と対向する面）に持ち手部分Ａ１が固定されることとなる。ブーケＡは本体部分Ａ２が重量の大半をしめることから、挿通部１１ａを支点とするモーメントが作用し、ブーケＡが横倒しになる可能性があるが、第２の平面部１２全体で持ち手部分Ａ１を支えることができるので、ブーケＡを安定して保持することができる。このようにブーケ梱包用具１０を用いることで、ブーケＡを安定して保持することができるので、ブーケＡの本体部分Ａ２が梱包箱１と干渉し傷みが生じたり、ブーケＡの形が崩れたりすることなくブーケＡを適切に梱包することができる。
【００３５】
また、挿通部１１ａにブーケＡの持ち手部分Ａ１を挿通させ、当該持ち手部分Ａ１を第２の平面部１２に沿うように固定させるだけの作業で足りるので、ブーケＡの利用者であってもその梱包を容易に行うことができる。
【００３６】
また、本実施形態において、ブーケ梱包用具１０は、ダンボールシートが折り曲げられて、当該平面部１１，１２のそれぞれに谷折り状の折り目１０ｂ，１０ｃを介して連続する一対の固定片１３，１４を備え、固定片１３，１４のそれぞれは、梱包箱１の底面に固定される。
【００３７】
この構成によれば、固定片１３，１４を梱包箱１の底面に固定することで、一対の平面部１１，１２の折り曲げ角を保形することができるとともに、ブーケ梱包用具１０を梱包箱１に固定することができる。これにより、ブーケＡの自重により一対の平面部１１，１２が平らに押し潰されたり、ブーケ梱包用具１０が倒れたりして、ブーケＡが梱包箱１内で転倒等することを抑制することができる。これにより、開梱時においてもブーケＡの美感を良好に維持することができる。
【００３８】
なお、本実施形態では、一対の平面部１１，１２に固定片１３，１４を連続して形成しているが、当該固定片１３，１４を省略して、一対の平面部１１，１２の端縁を梱包箱１に直接固定するものであってもよい。
【００３９】
また、本実施形態において、第２の平面部１２には一対の貫通孔１２ａ，１２ｂが形成されている。そして、ブーケＡの持ち手部分Ａ１を、一対の貫通孔１２ａ，１２ｂに挿通された結束バンド１５にて締め付けて第２の平面部１２に固定することとしている。
【００４０】
この構成によれば、結束バンド１５による簡便な手法で持ち手部分Ａ１の固定を実現することができる。このため、熟練した技術を要することなく、ブーケＡを安定的に固定することができる。
【００４１】
また、本実施形態において、ブーケ梱包用具１０は、シート部材である平面状のダンボールシートを折り曲げ形成して作成されている。
【００４２】
この構成によれば、ブーケＡを梱包する利用者自身がダンボールシート（基材１０Ａ）を折り曲げ形成することで、ブーケ梱包用具１０を容易に作成することができる。このため、予め成形されたブーケ梱包用具１０を利用者に提供するよりも、シート状の基材１０Ａを提供すればよいので、利用者への発送や取り扱いを容易に行うことができる。また、利用者に基材１０Ａとなるダンボールシートを提供すれば、あとは利用者自身でブーケＡの梱包を行うことができるので、利便性に優れることとなる。
【００４３】
以上、本発明の実施形態にかかるブーケ梱包用具について説明したが、本発明は上述した実施形態に限定されることなく、その発明の範囲内において種々の変形が可能であることはいうまでもない。例えば、本実施形態では、ブーケを梱包するブーケ梱包用具について例示したが、本発明は、持ち手部分を備えた装飾品を梱包するための装飾品梱包用具として広く利用することができる。
【００４４】
また、本実施形態では、装飾品梱包用具に係るシート部材としてダンボールシートを例示したが、ブーケを保持可能な程度の剛性を備えるシート部材、例えば厚紙等であれば、当然に利用することができる。また、本実施形態では、利用者自身がダンボールシートを折り曲げて装飾品梱包用具を最終的に形成するものであるが、例えば樹脂成形などを用いて上述した形状に予め保形された部材により構成することも可能である。
【符号の説明】
【００４５】
１        梱包箱
１０        ブーケ梱包用具
１０Ａ      基材
１０ａ〜１０ｃ      折り目
１０ｄ      切れ目
１１        第１の平面部
１１ａ      挿通部
１２        第２の平面部
１２ａ，１２ｂ      貫通孔
１３        第１の固定片
１４        第２の固定片
１５        結束バンド
Ａ        ブーケ
Ａ１        持ち手部分
Ａ２        本体部分
【図１】
2016145044.tif 000003
【図２】
2016145044.tif 000004
【図３】
2016145044.tif 000005
【図４】
2016145044.tif 000006